(57)【要約】【課題】表示部に表示される入力領域に対する測定データの入力作業を効率化することができる測定データ表示装置及び測定データ表示用プログラムを提供する。【解決手段】測定データ表示装置１００に備えられた操作部１０２を用いて、表示部１０３に表示される入力領域を指定するための所定の第１指定操作が行われた場合に、受信処理部１１７で受信した測定器２００による測定データを自動入力処理部１１３が入力領域に自動で入力する。これにより、測定器２００を操作して測定データの入力作業を行う必要がないため、表示部１０３に表示される入力領域に対する測定データの入力作業を効率化することができる。【選択図】  図１
2014089051.tif 000002
【特許請求の範囲】
【請求項１】
操作部に対する操作に基づいて、測定器による測定データを表示部に表示させることができる測定データ表示装置であって、
前記測定器による測定データを受信する受信処理部と、
測定データを入力するための入力領域を前記表示部に表示させる入力領域表示処理部と、
前記操作部を用いて、前記入力領域を指定するための所定の第１指定操作が行われた場合に、前記受信処理部で受信した前記測定器による測定データを前記入力領域に自動で入力する自動入力処理部とを備えたことを特徴とする測定データ表示装置。
【請求項２】
前記操作部を用いて、前記入力領域を指定するための所定の第２指定操作が行われた後、測定データを手動入力するための操作が行われた場合に、手動入力された測定データを前記入力領域に表示させる手動入力処理部をさらに備え、
前記自動入力処理部は、前記第２指定操作に所定の付加操作を組み合わせた前記第１指定操作が行われた場合に、前記受信処理部で受信した前記測定器による測定データを前記入力領域に自動で入力することを特徴とする請求項１に記載の測定データ表示装置。
【請求項３】
前記付加操作のみが行われているときに、前記測定器による測定データを報知する報知処理部をさらに備え、
前記自動入力処理部は、前記付加操作のみが行われている状態のまま前記第２指定操作が行われた場合に、前記受信処理部で受信した前記測定器による測定データを前記入力領域に自動で入力することを特徴とする請求項２に記載の測定データ表示装置。
【請求項４】
前記受信処理部は、前記付加操作のみが行われているときに、前記測定器による測定データをリアルタイムで受信するものであり、
前記報知処理部は、前記受信処理部によりリアルタイムで受信される前記測定器による測定データを報知し、
前記自動入力処理部は、前記付加操作のみが行われている状態のまま前記第２指定操作が行われた場合に、そのとき受信している前記測定器による測定データを前記入力領域に自動で入力することを特徴とする請求項３に記載の測定データ表示装置。
【請求項５】
操作部に対する操作に基づいて、測定器による測定データを表示部に表示させることができる測定データ表示用プログラムであって、
前記測定器による測定データを受信する受信処理部と、
測定データを入力するための入力領域を前記表示部に表示させる入力領域表示処理部と、
前記操作部を用いて、前記入力領域を指定するための所定の第１指定操作が行われた場合に、前記受信処理部で受信した前記測定器による測定データを前記入力領域に自動で入力する自動入力処理部としてコンピュータを機能させることを特徴とする測定データ表示用プログラム。
【発明の詳細な説明】
【技術分野】
【０００１】
本発明は、操作部に対する操作に基づいて、測定器による測定データを表示部に表示させることができる測定データ表示装置及び測定データ表示用プログラムに関するものである。
【背景技術】
【０００２】
例えば電子天秤などの測定器の中には、測定器に備えられた表示部に測定データを表示させることができるようになっているものがある。この種の測定器で測定を行うことにより得られた測定データを管理する場合には、例えば測定器の表示部に表示された測定データを書き写した後、その内容を確認しながら、コンピュータなどの装置に測定データを入力する作業を行うこととなる。
【０００３】
このとき、測定データを入力するコンピュータなどの装置は、入力された測定データを表示部に表示可能な測定データ表示装置として機能する。具体的には、当該測定データ表示装置において、例えばソフトウェアが起動されることにより、測定データを入力するための入力画面が表示部に表示される。そして、キーボードなどの操作部を用いて、表示部に表示された入力画面における所定の入力領域を指定する操作が行われた後、当該入力領域に測定データが手動入力される。
【０００４】
しかしながら、上記のように測定データを手動入力するような構成では、作業が煩雑であるだけでなく、誤入力が生じる可能性も高いという問題がある。そこで、測定器に測定データ表示装置を接続することにより、測定器から測定データ表示装置に測定データを送信することができるような構成が知られている（例えば、下記特許文献１参照）。
【０００５】
特許文献１に開示された構成では、測定データを出力するためのデータ出力スイッチが測定器に設けられており、当該スイッチが押された場合に、測定データ表示装置に測定データが送信されるようになっている（段落［００３３］など）。
【先行技術文献】
【特許文献】
【０００６】
【特許文献１】特開２００８−１７５５９９号公報
【発明の概要】
【発明が解決しようとする課題】
【０００７】
しかしながら、上記のような従来の構成では、測定器に対して測定対象をセットした後、測定データ表示装置の表示部に表示された入力画面における所定の入力領域を指定する操作を行い、再び測定器を操作することにより測定データを測定データ表示装置に送信させ、その後に測定データ表示装置において測定データを管理するための操作を行うこととなる。そのため、測定器に対する操作と測定データ表示装置に対する操作とを交互に行わなければならず、測定器からの測定データを入力領域に入力するための作業の効率が悪いという問題があった。
【０００８】
本発明は、上記実情に鑑みてなされたものであり、表示部に表示される入力領域に対する測定データの入力作業を効率化することができる測定データ表示装置及び測定データ表示用プログラムを提供することを目的とする。
【課題を解決するための手段】
【０００９】
本発明に係る測定データ表示装置は、操作部に対する操作に基づいて、測定器による測定データを表示部に表示させることができる測定データ表示装置であって、前記測定器による測定データを受信する受信処理部と、測定データを入力するための入力領域を前記表示部に表示させる入力領域表示処理部と、前記操作部を用いて、前記入力領域を指定するための所定の第１指定操作が行われた場合に、前記受信処理部で受信した前記測定器による測定データを前記入力領域に自動で入力する自動入力処理部とを備えたことを特徴とする。
【００１０】
このような構成によれば、測定データ表示装置に備えられた操作部を用いて、表示部に表示される入力領域を指定するための所定の第１指定操作が行われた場合に、測定器から受信した測定データが入力領域に自動で入力される。これにより、測定器を操作して測定データの入力作業を行う必要がないため、表示部に表示される入力領域に対する測定データの入力作業を効率化することができる。
【００１１】
前記測定データ表示装置は、前記操作部を用いて、前記入力領域を指定するための所定の第２指定操作が行われた後、測定データを手動入力するための操作が行われた場合に、手動入力された測定データを前記入力領域に表示させる手動入力処理部をさらに備えていてもよい。この場合、前記自動入力処理部は、前記第２指定操作に所定の付加操作を組み合わせた前記第１指定操作が行われた場合に、前記受信処理部で受信した前記測定器による測定データを前記入力領域に自動で入力してもよい。
【００１２】
このような構成によれば、操作部を用いて、入力領域を指定するための所定の第２指定操作を行うことにより、測定データを手動入力することができる。すなわち、操作部に対する操作によって、測定データの自動入力又は手動入力を選択することができる。例えば、測定データをそのまま入力するのではなく、測定データを調整した上で入力する場合などには、測定データを手動入力したい場合もあるため、測定データの自動入力又は手動入力を選択可能な構成とすることにより、入力領域に対する測定データの入力作業をさらに効率化することができる。
【００１３】
特に、測定データを手動入力する際に行われる第２指定操作に対して、所定の付加操作を組み合わせるだけで、測定データを自動入力するための第１指定操作を行うことができる。これにより、測定データの自動入力又は手動入力の選択を分かりやすくすることができるため、作業効率を効果的に向上することができる。
【００１４】
前記測定データ表示装置は、前記付加操作のみが行われているときに、前記測定器による測定データを報知する報知処理部をさらに備えていてもよい。この場合、前記自動入力処理部は、前記付加操作のみが行われている状態のまま前記第２指定操作が行われた場合に、前記受信処理部で受信した前記測定器による測定データを前記入力領域に自動で入力してもよい。
【００１５】
このような構成によれば、付加操作のみが行われているときに、測定器から受信した測定データを報知することにより、測定データを入力前に予め確認することができる。そして、測定データの確認後に、付加操作のみが行われている状態のまま第２指定操作を行うことにより、測定器から受信した測定データを入力領域に自動で入力することができる。これにより、測定データを入力前に予め確認した上で、容易に自動入力することができるため、入力領域に対する測定データの入力作業をさらに効率化することができる。
【００１６】
前記受信処理部は、前記付加操作のみが行われているときに、前記測定器による測定データをリアルタイムで受信するものであってもよい。この場合、前記報知処理部は、前記受信処理部によりリアルタイムで受信される前記測定器による測定データを報知し、前記自動入力処理部は、前記付加操作のみが行われている状態のまま前記第２指定操作が行われた場合に、そのとき受信している前記測定器による測定データを前記入力領域に自動で入力してもよい。
【００１７】
このような構成によれば、付加操作のみが行われているときに、測定器による測定データをリアルタイムで受信し、その測定データを報知することができる。測定器による測定データが安定するまでには、ある程度の時間を要するため、測定データをリアルタイムで報知することにより、測定データが安定しているか否かを確認することができる。
【００１８】
このようにして、測定データが安定していることを確認した上で、付加操作のみが行われている状態のまま第２指定操作を行うことにより、そのとき受信している測定器による測定データを入力領域に自動で入力することができる。したがって、より正確な測定データを効率よく入力領域に入力することができる。
【００１９】
本発明に係る測定データ表示用プログラムは、操作部に対する操作に基づいて、測定器による測定データを表示部に表示させることができる測定データ表示用プログラムであって、前記測定器による測定データを受信する受信処理部と、測定データを入力するための入力領域を前記表示部に表示させる入力領域表示処理部と、前記操作部を用いて、前記入力領域を指定するための所定の第１指定操作が行われた場合に、前記受信処理部で受信した前記測定器による測定データを前記入力領域に自動で入力する自動入力処理部としてコンピュータを機能させることを特徴とする。
【発明の効果】
【００２０】
本発明によれば、測定器を操作して測定データの入力作業を行う必要がないため、表示部に表示される入力領域に対する測定データの入力作業を効率化することができる。
【図面の簡単な説明】
【００２１】
【図１】本発明の一実施形態に係る測定データ表示装置の構成例を示したブロック図である。
【図２】表示部に表示される測定器による測定データの入力画面の一例を示した図である。
【図３】測定器による測定データを入力領域に入力する際に制御部が行う処理の一例を示したフローチャートである。
【図４】測定器による測定データを入力領域に入力する際に制御部が行う処理の一例を示したフローチャートである。
【図５】測定器による測定データを入力領域に入力する際に制御部が行う処理の変形例を示したフローチャートである。
【発明を実施するための形態】
【００２２】
図１は、本発明の一実施形態に係る測定データ表示装置１００の構成例を示したブロック図である。測定データ表示装置１００は、コンピュータを用いて構成することができ、例えば制御部１０１、操作部１０２及び表示部１０３などを備えている。この例では、電子天秤などの測定器２００が、例えばＵＳＢ（Universal Serial Bus）などを介して、測定データ表示装置１００に対して電気的に接続されている。
【００２３】
操作部１０２は、作業者が操作を行うためのものであり、例えばキー入力装置の一例であるキーボード１２１、及び、ポインティング装置の一例であるマウス１２２などを備えている。表示部１０３は、例えば液晶表示器により構成することができ、表示画面に各種データを表示することができる。この測定データ表示装置１００では、操作部１０２に対する操作に基づいて、測定器２００による測定データを表示部１０３に表示させることができるようになっている。
【００２４】
制御部１０１は、例えばＣＰＵ（Central Processing Unit）を含む構成であり、プログラムを実行することにより、通信処理部１１１、入力領域表示処理部１１２、自動入力処理部１１３、手動入力処理部１１４及び報知処理部１１５などの各種機能部として機能する。通信処理部１１１には、例えば送信要求処理部１１６及び受信処理部１１７などが含まれる。
【００２５】
通信処理部１１１は、測定器２００と通信するための処理を行う。この例では、送信要求処理部１１６が、測定器２００に測定データの送信要求を行うための信号を送信することにより、その送信要求に基づいて測定器２００から測定データが送信されるようになっている。受信処理部１１７は、測定器２００による測定データを受信するための処理を行うものであり、この例では、送信要求に基づいて測定器２００から送信される測定データを受信する。
【００２６】
入力領域表示処理部１１２は、測定データを入力するための入力領域を表示部１０３に表示させる。自動入力処理部１１３は、操作部１０２に対する操作に基づいて、受信処理部１１７で受信した測定器２００による測定データを表示部１０３の入力領域に自動で入力する。一方、手動入力処理部１１４は、操作部１０２に対する操作に基づいて、手動入力された測定データを表示部１０３の入力領域に表示させる。報知処理部１１５は、測定器２００による測定データが表示部１０３の入力領域に入力されるのに先立って、当該測定データを作業者に報知するための処理を行う。
【００２７】
図２は、表示部１０３に表示される測定器２００による測定データの入力画面の一例を示した図である。図２に示すような測定データの入力画面は、例えばソフトウェアが起動されることにより表示部１０３に表示される。ただし、測定データの入力画面は、図２に例示されるような画面に限らず、他の各種画面により構成することができる。
【００２８】
この例では、測定器２００として電子天秤が用いられることにより、電子天秤による測定データである重量データを入力するための入力領域１３１が、表示部１０３に表示されるようになっている。この入力画面には、測定データ（重量データ）の入力領域１３１の他に、例えば測定対象である薬品の保管場所、登録日、薬品名、製造元及び使用者などのデータが、入力領域１３１に対応付けて表示されるようになっている。これらの入力領域１３１に対応付けて表示されるデータは、例えば操作部１０２を操作することにより入力することができる。
【００２９】
本実施形態では、マウス１２２を用いて入力画面上でポインタ１３２を入力領域１３１に合わせて、当該入力領域１３１を指定するための操作（例えば、いわゆる「左クリック」）を行うことにより、図２（ａ）に示すように、測定器２００による測定データを入力領域１３１に手動入力することが可能になる。この状態で、キーボード１２１に含まれるテンキーなどを用いて、測定データを手動入力するための操作が行われた場合に、手動入力処理部１１４により、手動入力された測定データが入力領域１３１に表示されるようになっている。
【００３０】
一方、例えばキーボード１２１に含まれるＳｈｉｆｔキー（シフトキー）及びＣｔｒｌキー（コントロールキー）を同時に押下するという付加操作を行った状態で、上記のようなマウス１２２を用いて入力領域１３１を指定するための操作を行った場合には、自動入力処理部１１３により、受信処理部１１７で受信した測定器２００による測定データが入力領域１３１に自動で入力されるようになっている。すなわち、測定データを自動で入力するために入力領域１３１を指定する操作（第１指定操作）は、上記のような手動入力のために入力領域１３１を指定する操作（第２指定操作）に、付加操作を組み合わせた操作となっている。
【００３１】
このように、本実施形態では、測定データ表示装置１００に備えられた操作部１０２を用いて、表示部１０３に表示される入力領域１３１を指定するための所定の第１指定操作が行われた場合に、測定器２００から受信した測定データが入力領域１３１に自動で入力される。これにより、測定器２００を操作して測定データの入力作業を行う必要がないため、表示部１０３に表示される入力領域１３１に対する測定データの入力作業を効率化することができる。
【００３２】
また、本実施形態では、操作部１０２を用いて、入力領域１３１を指定するための所定の第２指定操作を行うことにより、測定データを手動入力することができる。すなわち、操作部１０２に対する操作によって、測定データの自動入力又は手動入力を選択することができる。例えば、測定データをそのまま入力するのではなく、測定データを調整した上で入力する場合などには、測定データを手動入力したい場合もあるため、測定データの自動入力又は手動入力を選択可能な構成とすることにより、入力領域１３１に対する測定データの入力作業をさらに効率化することができる。
【００３３】
特に、測定データを手動入力する際に行われる第２指定操作に対して、所定の付加操作を組み合わせるだけで、測定データを自動入力するための第１指定操作を行うことができる。これにより、測定データの自動入力又は手動入力の選択を分かりやすくすることができるため、作業効率を効果的に向上することができる。
【００３４】
本実施形態では、例えばキーボード１２１のＳｈｉｆｔキー及びＣｔｒｌキーを同時に押下するという付加操作のみが行われ、マウス１２２を用いた第２指定操作が行われていない状態のときには、図２（ｂ）に示すように、測定器２００による測定データの報知領域１３３が表示される。これは、測定器２００による測定データを報知するための報知処理部１１５による処理であり、当該報知により、測定データを予め確認することができる。
【００３５】
報知領域１３３は、入力領域１３１の近傍に表示されることが好ましいが、これに限られるものではない。また、報知処理部１１５による測定データの報知は、図２（ｂ）に示すような入力画面に対する報知領域１３３の表示によるものに限らず、表示部１０３に対する他の表示態様によるものであってもよいし、音声などの表示以外の態様で測定データを報知するような構成などであってもよい。
【００３６】
その後、付加操作のみが行われている状態のまま第２指定操作が行われることにより、第２指定操作と付加操作とを組み合わせた第１指定操作が行われた場合には、図２（ｃ）に示すように、測定器２００による測定データ（報知領域１３３に表示されていた測定データ）が入力領域１３１に自動で入力される。
【００３７】
このように、本実施形態では、付加操作のみが行われているときに、測定器２００から受信した測定データを報知することにより、測定データを入力前に予め確認することができる。そして、測定データの確認後に、付加操作のみが行われている状態のまま第２指定操作を行うことにより、測定器２００から受信した測定データを入力領域１３１に自動で入力することができる。これにより、測定データを入力前に予め確認した上で、容易に自動入力することができるため、入力領域１３１に対する測定データの入力作業をさらに効率化することができる。
【００３８】
表示部１０３に表示される測定データの入力画面には、例えば保存ボタン１３４及びキャンセルボタン１３５が含まれている。上記のようにして測定器２００による測定データを自動入力又は手動入力した後、操作部１０２を用いて保存ボタン１３４を選択する操作を行った場合には、入力された測定データが記憶部（図示せず）に記憶されるようになっている。一方、操作部１０２を用いてキャンセルボタン１３５を選択する操作を行った場合には、入力された測定データが記憶部に記憶されず、例えば入力画面が非表示とされる。
【００３９】
図３及び図４は、測定器２００による測定データを入力領域１３１に入力する際に制御部１０１が行う処理の一例を示したフローチャートである。この例では、まず、図２に例示されるような入力画面が表示部１０３に表示されることにより、入力領域１３１を表示させるための処理が行われる（ステップＳ１０１）。
【００４０】
その後、キーボード１２１に含まれるＳｈｉｆｔキー及びＣｔｒｌキーを同時に押下する操作（付加操作）が行われるか否か（ステップＳ１０２）、及び、付加操作を行うことなくマウス１２２を用いて入力画面上でポインタ１３２を入力領域１３１に合わせて、当該入力領域１３１を指定するための操作（第２指定操作）が行われるか否か（ステップＳ１０３）が監視される。
【００４１】
そして、付加操作が行われた場合には（ステップＳ１０２でＹｅｓ）、その状態のまま第２指定操作が行われることにより、入力領域１３１が指定されるか否か（ステップＳ１０７）、及び、付加操作が解除されるか否か（ステップＳ１０８）が監視され、その間にステップＳ１０４〜Ｓ１０６の処理が繰り返し実行されるようになっている。
【００４２】
具体的には、付加操作のみが行われているときに（ステップＳ１０２でＹｅｓ）、送信要求処理部１１６が測定器２００に測定データの送信要求を行い（ステップＳ１０４）、その送信要求に基づいて測定器２００から送信される測定データを受信処理部１１７がリアルタイムで受信する（ステップＳ１０５でＹｅｓ）。このようにしてリアルタイムで受信される測定データは、例えば図２（ｂ）に示した報知領域１３３のような態様で、報知処理部１１５により報知される（ステップＳ１０６）。
【００４３】
その後、付加操作のみが行われている状態のまま、第２指定操作が行われて入力領域１３１が指定されることにより（ステップＳ１０７でＹｅｓ）、第２指定操作と付加操作とを組み合わせた第１指定操作が行われた場合には、自動入力処理部１１３が、例えば図２（ｃ）に示したような態様で、そのとき受信している測定器２００による測定データを入力領域１３１に自動で入力する。
【００４４】
一方、付加操作が解除された場合には（ステップＳ１０８でＹｅｓ）、再度、付加操作が行われるか否か（ステップＳ１０２）、及び、第２指定操作が行われるか否か（ステップＳ１０３）が監視されることとなる。
【００４５】
第２指定操作が行われた場合（ステップＳ１０３でＹｅｓ）、すなわち、付加操作を行うことなくマウス１２２を用いて入力画面上でポインタ１３２を入力領域１３１に合わせて、当該入力領域１３１を指定するための操作が行われた場合には、例えば図２（ａ）に示したような態様で、測定器２００による測定データを入力領域１３１に手動入力することが可能になる。この状態では、図４に例示されるような処理が行われる。
【００４６】
すなわち、操作部１０２のキーボード１２１を用いて測定データが手動入力された場合には（ステップＳ２０１でＹｅｓ）、手動入力処理部１１４が、手動入力された測定データを入力領域１３１に表示させる（ステップＳ２０３）。一方、測定データが手動入力されることなく（ステップＳ２０１でＮｏ）、キーボード１２１に含まれるＳｈｉｆｔキー及びＣｔｒｌキーを同時に押下する操作（付加操作）が行われた場合には（ステップＳ２０２でＹｅｓ）、図３のステップＳ１０４以降の処理が行われることとなる。
【００４７】
このように、本実施形態では、付加操作のみが行われているときに（ステップＳ１０２でＹｅｓ）、測定器２００による測定データをリアルタイムで受信し、その測定データを報知することができる（ステップＳ１０６）。測定器２００による測定データが安定するまでには、ある程度の時間を要するため、測定データをリアルタイムで報知することにより、測定データが安定しているか否かを確認することができる。
【００４８】
このようにして、測定データが安定していることを確認した上で、付加操作のみが行われている状態のまま第２指定操作を行うことにより（ステップＳ１０７でＹｅｓ）、そのとき受信している測定器２００による測定データを入力領域１３１に自動で入力することができる。したがって、より正確な測定データを効率よく入力領域１３１に入力することができる。
【００４９】
制御部１０１は、測定器２００による測定データが安定したか否か判別するための安定判別処理部として機能するような構成であってもよい。この場合、前記安定判別処理部は、例えば測定器２００による測定データの変動率を算出し、その変動率が所定の閾値以下となった場合に、測定データが安定したと判別するような構成であってもよい。また、測定器２００にて安定判定を行い、その結果を通信処理部１１１で受信するような構成であってもよい。測定データが安定したか否かの判別結果は、作業者に報知されるような構成であることが好ましい。この場合、例えば図２（ｂ）に示した報知領域１３３の色を変化させるなどの態様で、測定データが安定したか否かの判別結果を報知することが可能であるが、このような構成に限られるものではない。
【００５０】
図５は、測定器２００による測定データを入力領域１３１に入力する際に制御部１０１が行う処理の変形例を示したフローチャートである。この例では、まず、図２に例示されるような入力画面が表示部１０３に表示されることにより、入力領域１３１を表示させるための処理が行われる（ステップＳ３０１）。
【００５１】
その後、キーボード１２１に含まれるＳｈｉｆｔキー及びＣｔｒｌキーを同時に押下する操作（付加操作）が行われるか否か（ステップＳ３０２）、及び、付加操作を行うことなくマウス１２２を用いて入力画面上でポインタ１３２を入力領域１３１に合わせて、当該入力領域１３１を指定するための操作（第２指定操作）が行われるか否か（ステップＳ３０３）が監視される。
【００５２】
そして、付加操作が行われた場合には（ステップＳ３０２でＹｅｓ）、その状態のまま第２指定操作が行われることにより、入力領域１３１が指定されるか否か（ステップＳ３０４）、及び、付加操作が解除されるか否か（ステップＳ３０５）が監視される。
【００５３】
付加操作のみが行われている状態のまま、第２指定操作が行われて入力領域１３１が指定されることにより（ステップＳ３０４でＹｅｓ）、第２指定操作と付加操作とを組み合わせた第１指定操作が行われた場合には、送信要求処理部１１６が測定器２００に測定データの送信要求を行う（ステップＳ３０６）。そして、送信要求に基づいて測定器２００から送信される測定データを受信処理部１１７が受信し（ステップＳ３０７でＹｅｓ）、受信した測定データを自動入力処理部１１３が入力領域１３１に自動で入力する（ステップＳ３０８）。
【００５４】
一方、付加操作が解除された場合には（ステップＳ３０５でＹｅｓ）、再度、付加操作が行われるか否か（ステップＳ３０２）、及び、第２指定操作が行われるか否か（ステップＳ３０３）が監視されることとなる。
【００５５】
第２指定操作が行われた場合（ステップＳ３０３でＹｅｓ）、すなわち、付加操作を行うことなくマウス１２２を用いて入力画面上でポインタ１３２を入力領域１３１に合わせて、当該入力領域１３１を指定するための操作が行われた場合には、測定器２００による測定データを入力領域１３１に手動入力することが可能になり、図４と同様の処理が行われる。
【００５６】
本実施形態のように、測定器２００による測定データを報知処理部１１５で報知する処理が行われないような構成であってもよい。この場合、測定器２００による測定データをリアルタイムで受信するような構成に限らず、本実施形態のように、第１指定操作が行われたときに測定データを受信するような構成であってもよい。ただし、第１指定操作が行われた場合に、直ちに測定器２００から測定データが送信されるような構成に限らず、例えば第１指定操作が行われた後、測定器２００による測定データが安定したと判別されたときに、測定器２００から測定データが送信されるような構成などであってもよい。
【００５７】
以上の実施形態では、送信要求処理部１１６による送信要求に基づいて、測定器２００から測定データが送信されるような構成について説明した。しかし、このような構成に限らず、他の各種タイミングで測定器２００から測定データを送信することができる。例えば、操作部１０２に対する操作の有無に関係なく、所定時間ごとに測定器２００から測定データが送信されるような構成や、測定器２００による測定データが安定したと判別されたときに測定器２００から測定データが送信されるような構成などであってもよい。
【００５８】
この場合、測定器２００による測定データを受信処理部１１７で予め受信しておき、その測定データを第１指定操作に基づいて入力領域１３１に自動で入力するような構成などであってもよい。なお、測定器２００は、測定データ表示装置１００に対して電気的に接続された構成に限らず、例えば無線により測定データを測定データ表示装置１００に送信するような構成などであってもよい。
【００５９】
また、操作部１０２に対する操作によって、測定器２００による測定データの自動入力又は手動入力を選択することができるような構成に限らず、例えば自動入力のみを行うことができるような構成であってもよい。この場合、測定データを自動入力させるための第１指定操作は、測定データを手動入力する際に入力領域１３１を指定する第２指定操作に、付加操作を組み合わせたような操作でなくてもよい。
【００６０】
第１指定操作、第２指定操作及び付加操作は、以上の実施形態で説明したような態様に限らず、他の各種態様により行うことができる。例えば、第１指定操作は、操作部１０２に含まれるキーボード１２１及びマウス１２２の操作を組み合わせた操作に限らず、キーボード１２１又はマウス１２２の一方に対する操作、あるいは、操作部１０２に対する他の操作により行われるような構成であってもよい。
【００６１】
また、第２指定操作は、マウス１２２に対する操作に限らず、キーボード１２１に対する操作、あるいは、操作部１０２に対する他の操作により行われるような構成であってもよい。付加操作は、キーボード１２１に対する操作に限らず、マウス１２２に対する操作、あるいは、操作部１０２に対する他の操作により行われるような構成であってもよい。
【００６２】
以上の実施形態では、測定器２００の一例として、電子天秤による測定データ（重量データ）を表示部１０３に表示させるような構成について説明したが、本発明は、電子天秤以外の各種測定器２００による測定データを表示部１０３に表示させる場合にも適用可能である。したがって、測定器２００による測定データに対応付けて表示部１０３に表示されるデータは、測定対象である薬品の保管場所、登録日、薬品名、製造元及び使用者などのデータに限られるものではなく、測定対象も薬品に限られるものではない。
【００６３】
また、上述のような測定データ表示装置１００としてコンピュータを機能させるためのプログラム（測定データ表示用プログラム）を提供することも可能である。この場合、前記プログラムは、記憶媒体に記憶された状態で提供されるような構成であってもよいし、プログラム自体が提供されるような構成であってもよい。
【符号の説明】
【００６４】
１００    測定データ表示装置
１０１    制御部
１０２    操作部
１０３    表示部
１１１    通信処理部
１１２    入力領域表示処理部
１１３    自動入力処理部
１１４    手動入力処理部
１１５    報知処理部
１１６    送信要求処理部
１１７    受信処理部
１２１    キーボード
１２２    マウス
１３１    入力領域
１３２    ポインタ
１３３    報知領域
１３４    保存ボタン
１３５    キャンセルボタン
２００    測定器
【図１】
2014089051.tif 000003
【図２】
2014089051.tif 000004
【図３】
2014089051.tif 000005
【図４】
2014089051.tif 000006
【図５】
2014089051.tif 000007